(57)【要約】【課題】  本発明は、タービンディスクの部分交換が行え、タービン出力に応じた動翼の段数を容易に得ることができるタービン用ロータを提供することにある。【解決手段】  本発明は、タービンディスク部２を各段毎に分割してディスク単位２Ａ，２Ｂ，…，２ｎ，１１Ａ，１１Ｂ，…，１１ｎを構成し、これらディスク単位を着脱自在に連結したのである。  このように分割したディスク単位を着脱自在に連結することにより、動翼やディスク単位が損傷した場合には、損傷した部分に対応するディスク単位のみを交換すればよく、また、ディスク単位の連結数を加減することにより、タービン出力に見合った動翼段数を簡単に得ることができる。【選択図】  図１
2005127238.tif 000002
【特許請求の範囲】
【請求項１】
動翼を周方向に複数固定するディスク部が軸方向に複数段連ねてタービンディスク部を構成したタービン用ロータにおいて、前記タービンディスク部を各段毎に分割してディスク単位を構成し、これらディスク単位を着脱自在に連結したことを特徴とするタービン用ロータ。
【請求項２】
動翼を周方向に複数固定するディスク部が軸方向に複数段連ねてタービンディスク部を構成したタービン用ロータにおいて、前記タービンディスク部を各段毎に分割してディスク単位を構成すると共に、隣接するディスク単位間にトルクを伝達し径方向の移動を規制する連結手段を設けたことを特徴とするタービン用ロータ。
【請求項３】
前記連結手段は、隣接するディスク単位の一方側に設けた凹部と、隣接するディスク単位の他方側に設けられ前記凹部に係合する凸部であることを特徴とする請求項２記載のタービン用ロータ。
【請求項４】
前記凹部は一つ以上の溝であり、前記凸部は前記溝に相似する突起条体である請求項３記載のタービン用ロータ。
【請求項５】
前記凹部は一つ以上の窪みであり、前記凸部は前記窪みに相似する突起体である請求項３記載のタービン用ロータ。
【発明の詳細な説明】
【技術分野】
【０００１】
本発明はタービン用ロータに係り、特に、動翼を固定するタービンディスク部を改善したタービン用ロータに関する。
【背景技術】
【０００２】
一般に、動翼を固定するタービンディスク部を有するタービン用ロータは、例えば、特許文献１に記載のように構成されている。
【０００３】
【特許文献１】特開平７−７７００４号公報
【発明の開示】
【発明が解決しようとする課題】
【０００４】
従来の技術においては、動翼やタービンディスク部が損傷した場合、部分的な交換が行えず、全タービンディスク部を交換しなければならい問題があった。また、タービンの出力に応じて動翼の段数を設計しなければならないと云う問題を有している。
【０００５】
本発明の目的は、タービンディスクの部分交換が行え、タービン出力に応じた動翼の段数を容易に得ることができるタービン用ロータを提供することにある。
【課題を解決するための手段】
【０００６】
本発明は上記目的を達成するために、タービンディスク部を各段毎に分割してディスク単位を構成し、これらディスク単位を着脱自在に連結したのである。
【０００７】
このように分割したディスク単位を着脱自在に連結することにより、動翼やディスク単位が損傷した場合には、損傷した部分に対応するディスク単位のみを交換すればよく、また、ディスク単位の連結数を加減することにより、タービン出力に見合った動翼段数を簡単に得ることができる。
【発明の効果】
【０００８】
本発明によれば、タービンディスクの部分交換が行え、タービン出力に応じた動翼段数が容易に得られタービン用ロータを得ることができる。
【発明を実施するための最良の形態】
【０００９】
以下本発明によるタービン用ロータの第１の実施の形態を図１に示す蒸気タービン用ロータに基づいて説明する。
【００１０】
蒸気タービン用ロータ１は、動翼（図示せず）を周方向に複数等間隔で固定しこれらを軸方向に複数段連ねて形成したタービンディスク部２と、タービンディスク部２の一側に接続された蒸気入口部３と、これらタービンディスク部２と蒸気入口部３との接続体の両側に形成されたジャーナル軸受４Ａ，４Ｂと、蒸気入口３側のジャーナル軸受４Ａに接続されたスラスト軸受５と、このスラスト軸受５及び前記ジャーナル軸受４Ｂに接続された軸継ぎ手７Ａ，７Ｂとで構成されている。
【００１１】
前記タービンディスク部２は、動翼を固定する各ディスク部を軸方向に分割して形成した複数のディスク単位２Ａ，２Ｂ，…，２ｎと、これら各ディスク単位２Ａ，２Ｂ，…，２ｎを連結するリーマボルト７とを有している。
【００１２】
前記スラスト軸受５は、蒸気入口部３から導入された蒸気が各ディスク単位２Ａ，２Ｂ，…，２ｎ上に固定された図示しない動翼に吹き付けられた際に蒸気タービン用ロータ１に作用するスラストを受けるものである。
【００１３】
前記軸継ぎ手７Ａ，７Ｂは、蒸気タービンの利用目的に応じて別の回転体の軸継ぎ手（図示せず）に対して継ぎ手ボルト８によって連結される。
【００１４】
上記構成によれば、各ディスク単位２Ａ，２Ｂ，…，２ｎの増減によりタービンディスク部２の段数を増減できるので、多種多様なタービン出力に応じて動翼の段数を容易に設計することができる。
【００１５】
また、一部の動翼やディスク単位が損傷した場合にも、リーマボルト７による締結を解いて損傷した部分のディスク単位のみを交換すればよいので、タービンディスク部２あるいは蒸気タービン用ロータ１を一体交換する必要はなく、経済的であり、交換作業も簡単に短時間で行うことができる。
【００１６】
次に、図２〜図４に基づいて本発明によるタービン用ロータの第１の実施の形態を説明する。
【００１７】
本実施の形態においては、外観的には第１の実施の形態とほとんど同じであるので、同一構成部品には同一符号を付して再度の説明は省略する。
【００１８】
本実施の形態において第１の実施の形態と異なる点は、タービンディスク部２を端部ディスク単位９Ａ，９Ｂと中間ディスク１０とから構成され、端部ディスク単位９Ａ，９Ｂ及び中間ディスク１０を構成する各ディスク単位１１Ａ，１１Ｂ，…，１１ｎとが、連結用のリーマボルト等の締結手段を用いずに、隣接間の係合と二つのスラスト軸受５Ａ，５Ｂによって接続されている点である。
【００１９】
即ち、中間ディスク１０を構成する各ディスク単位１１Ａ，１１Ｂ，…，１１ｎは、図３に示すように、一面側に凸部を形成する直径方向と平行な２つの突起条体１２を有し、他面側に凹部を形成し前記２つの突起条体１２と直行するように２つの凹溝１３を有している。そして、例えば、ディスク単位１１Ａの凹溝１３は、隣接するディスク単位１１Ｂの突起条体１２を収納して係合できる大きさを有し、回転方向には公差をもって嵌合することが望ましい。
【００２０】
また、前記端部ディスク単位９Ａ，９Ｂのうち端部ディスク単位９Ａは、前記中間ディスク１０のディスク単位１１Ａに形成された突起条体１２を収納係合する凹溝１４を有しており、各ディスク単位１１ｎは、ディスク単位１１ｎに形成された凹溝１３に収納係合される突起条体１５を有している。
【００２１】
これら端部ディスク単位９Ａ，９Ｂ及び各ディスク単位１１Ａ，１１Ｂ，…，１１ｎを、突起条体１２と凹溝１２とが収納係合されるように連接した条体で、スラスト軸受５Ａ−５Ｂ間に組み込む。
【００２２】
上記のように構成したので、各ディスク単位１１Ａ，１１Ｂ，…，１１ｎの増減によりタービンディスク部２の段数を増減できるので、多種多様なタービン出力に応じて動翼の段数を容易に設計することができる。
【００２３】
また、一部の動翼やディスク単位が損傷した場合にも、端部ディスク単位９Ａ，９Ｂ間の押圧を解いて損傷した部分のディスク単位のみを交換すればよいので、タービンディスク部２あるいは蒸気タービン用ロータ１を一体交換する必要はなく、経済的であり、交換作業も簡単に短時間で行うことができる。
【００２４】
ここで、ディスク単位の交換について、図４に基づいて説明する。仮に、ディスク単位１１Ｅを取り外す場合には、ディスク単位１１Ｅ−１１Ｄあるいはディスク単位１１Ｅ−１１Ｆ間を、突起条体１２と凹溝１３との係合が解かれる大きさに引き離し、その状態でディスク単位１１Ｅをディスク単位１１Ｆの突起条体１２に沿って摺動させ、あるいはディスク単位１１Ｅをディスク単位１１Ｄの凹溝１３に沿って摺動させることによって前記中間ディスク１０の中から２点鎖線で示すディスク単位１１Ｅを取り外し、新しいディスク単位を前記とは逆の順に組み込むのである。
【００２５】
以上説明したように本実施の形態によれば、タービンディスクの部分交換を簡単に行うことができ、また、タービン出力に応じた動翼段数を容易に得ることができる。
【００２６】
尚、前記実施の形態は、蒸気タービン用ロータについて説明したが、ガスタービンロータについても適用できることは云うまでもない。
【００２７】
さらに、前記凸部と凹部の具体例として夫々直線状の突起条体１２及び凹溝１３を説明したが、これらに特定されるものではなく、ディスク単位の中心からＹ上に延長させた複数の直線状の突起条体１２及び凹溝１３の組み合わせ、さらには凹部として一つ以上の窪みを形成し、前記凸部として前記窪みに相似する突起体を形成してもよい。
【図面の簡単な説明】
【００２８】
【図１】本発明によるタービン用ロータの第１の実施の形態を示す側面図。
【図２】本発明によるタービン用ロータの第２の実施の形態を示す側面図。
【図３】図２の分解概略斜視図。
【図４】図２のディスク単位の着脱状態を説明する概略斜視図。
【符号の説明】
【００２９】
１…タービン用ロータ、２…タービンディスク部、２Ａ，２Ｂ，２ｎ…ディスク単位、９Ａ，９Ｂ…端部ディスク単位、１０…中間ディスク、１１Ａ，１１Ｂ，１１ｎ…ディスク単位、１２…突起条体、１３…凹溝。
【図１】
2005127238.tif 000003
【図２】
2005127238.tif 000004
【図３】
2005127238.tif 000005
【図４】
2005127238.tif 000006